(57)【要約】【課題】装用時に角膜矯正の効果が早く現れ、かつ段階的なレンズ交換を省き、単一のレンズ、もしくはより少ない回数のレンズの再調整によって十分な矯正効果を実現する、オルソケラトロジ治療用の新規な構造のコンタクトレンズを提供すること。【解決手段】レンズの部位として、角膜の整形を担う３（ベースゾーン）、３（ベースゾーン）の部分より移動する角膜組織を受け入れる４（リバースゾーン）、フィッティングに寄与する７（アラインメントゾーン）、エッジの部分となる８（ペリフェラルゾーン）に追加して、５（インターミディエイトゾーン）、６（セカンドリバースゾーン）の組を１組もしくは複数組構成した。【選択図】図１
2008112121.tif 000002
【特許請求の範囲】
【請求項１】
レンズ後面が、ベースゾーンと称する略円形の中央部、ベースゾーンに連なる、リバースゾーンと称する環状の部分、リバースゾーンに連なり、組をなすインターミディエイトゾーンと称する環状の部分および、インターミディエイトゾーンに連なる、セカンドリバースゾーンと称する環状の部分の１組、もしくは複数の組、最も外側の組のセカンドリバースゾーンに連なる、アラインメントゾーンと称する環状の部分、アラインメントゾーンの周辺に位置する、ペリフェラルゾーンと称する部分より形成されたコンタクトレンズ。
【請求項２】
前記ベースゾーンの曲率半径を角膜中央部の曲率半径より大きくすることで、当該角膜をより平坦、すなわち曲率半径が大きくなるような整形効果をもたらす、請求項１に記載のコンタクトレンズ。
【請求項３】
前記リバースゾーンの曲率半径を、角膜中央部の曲率半径より小さくすることで、ベースゾーンおよびリバースゾーン間に、中央部の角膜細胞組織の移動を受け入れる空間を作り出す、請求項１に記載のコンタクトレンズ。
【請求項４】
背後の角膜部分に比べ、前記インターミディエイトゾーンは曲率半径を大きく、セカンドリバースゾーンは曲率半径小さくすることで、インターミディエイトゾーンおよびセカンドリバースゾーン間にも、中央部の角膜細胞組織の移動を受け入れる空間を作り出す、請求項１に記載のコンタクトレンズ。
【請求項５】
前記アラインメントゾーンの曲率半径を、その背後の角膜部分の曲率半径と等しくすることで、レンズを角膜表面に沿ってフィットさせる、請求項１に記載のコンタクトレンズ。
【請求項６】
前記ペリフェラルゾーンの曲率半径を、アラインメントゾーンより大きくした形状の、請求項１に記載のコンタクトレンズ。
【発明の詳細な説明】
【技術分野】
【０００１】この発明は、角膜の形状を変形させる効果のあるコンタクトレンズに関し、角膜の形状変化に伴うコンタクトレンズのサイズ調整の手間を省き、単一のレンズの装用、もしくは従来よりも少ない回数のレンズ再調整により効果を継続させる技術に関するものである。
【背景技術】
【０００２】ある種のコンタクトレンズを夜間装用することで、角膜の形状を変形させ、角膜自体の焦点距離を変えることで、患者の近視を改善させる治療法（一般にオルソケラトロジ、またはオルソＫ）および、この治療法に使用する角膜矯正レンズ（一般にオルソＫレンズ）が知られている。【０００３】図３に、特許文献１に記載された角膜矯正レンズの構造を示す。【０００４】図３に関しては、レンズの内側が主に３箇所の部位に分かれている。中央の球面部分がセンターゾーン、次の環状の部分がティアゾーン、端の環状の部分がペリフェラルゾーンとなる。【０００５】センターゾーンには、角膜の曲率半径よりも長い曲率半径の球面を適用し、角膜に対して、より平坦に変形するような効果を持たせる。センターゾーンの部分にある角膜の組織は、ティアゾーンにより形成される空間に移動する。【０００６】ペリフェラルゾーンの部分では、角膜とレンズの間の距離が離れ、レンズの取り外しを容易にすると共に、角膜を覆う涙液を取り込むことにより、瞬きがなされた時に涙液交換が行われるようにする効果がある。
【特許文献１】  米国特許第５３４９３９５号
【発明の開示】
【発明が解決しようとする課題】
【０００７】図３にあるレンズ、もしくは、類似の論理により角膜の形状変化を意図したレンズにおいては、一般にティアゾーンの空間を狭くした方が、角膜の形状変化の影響が早く出やすいことが知られている。【０００８】しかし、角膜の形状変化がなされ始めると、センターゾーンおよびティアゾーン間の空間に角膜組織が流入するため、角膜とレンズ間の空き空間が減少する。特にティアゾーンを狭く構成した状態では、減少が顕著となる。減少した状態では、レンズフィッティングがタイトになり、レンズと角膜間の涙液不足による種々の疾患や障害、形状変化の効果の頭打ち現象が起こりやすい。そのため、サイズを再調整したレンズに替えて装用し直す必要がある。【０００９】そこで、この発明は、角膜組織の流入する空間を複数段階設けることで、ティアゾーンに相当する部分を狭くし、形状変化の効果を早く出せるようにするとともに、レンズフィッティングがタイトになる現象を緩和することで、単一のレンズの装用で効果を持続する技術を提供することを目的とする。
【課題を解決するための手段】
【００１０】以下に記述する特徴を持つレンズを構成する。【００１１】レンズ後面が、ベースゾーンと称する略円形の中央部、ベースゾーンに連なる、リバースゾーンと称する環状の部分、リバースゾーンに連なり、組をなすインターミディエイトゾーンと称する環状の部分および、インターミディエイトゾーンに連なる、セカンドリバースゾーンと称する環状の部分の１組、もしくは複数の組、最も外側の組のセカンドリバースゾーンに連なる、アラインメントゾーンと称する環状の部分、アラインメントゾーンの周辺に位置する、ペリフェラルゾーンと称する部分より形成されたコンタクトレンズ。【００１２】前記ベースゾーンの曲率半径を角膜中央部の曲率半径より大きくすることで、当該角膜をより平坦、すなわち曲率半径が大きくなるような整形効果をもたらすコンタクトレンズ。【００１３】前記リバースゾーンの曲率半径を、角膜中央部の曲率半径より小さくすることで、ベースゾーンおよびリバースゾーン間に、中央部の角膜細胞組織の移動を受け入れる空間を作り出すコンタクトレンズ。【００１４】背後の角膜部分に比べ、前記インターミディエイトゾーンは曲率半径を大きく、セカンドリバースゾーンは曲率半径小さくすることで、インターミディエイトゾーンおよびセカンドリバースゾーン間にも、中央部の角膜細胞組織の移動を受け入れる空間を作り出すコンタクトレンズ。【００１５】前記アラインメントゾーンの曲率半径を、その背後の角膜部分の曲率半径と等しくすることで、レンズを角膜表面に沿ってフィットさせるコンタクトレンズ。【００１６】前記ペリフェラルゾーンの曲率半径を、アラインメントゾーンより大きくした形状のコンタクトレンズ。
【発明を実施するための最良の形態】
【００１７】目次
１．適用対象
（１）適用対象
２．レンズの構成
（１）各部位の名称
（２）サイズ
３．レンズの効果
（１）ベースゾーンの効果
（２）リバースゾーンの効果
（３）インターミディエイトゾーン、セカンドリバースゾーンの効果
（５）アラインメントゾーンの効果
４．従来型レンズとの角膜形状変化の相違
（１）従来レンズ
（２）本発明におけるレンズ
（３）グラフによる比較【００１８】１．適用対象
（１）  適用対象
本発明におけるレンズを適用する対象は、視力の矯正値が３ジオプトリ〜６ジオプトリ程度の軽・中度の近視症状を持つ者が望ましい。ベースゾーンの曲率半径を大きくすることで、６ジオプトリ以上の近視に対しても適用しうる。【００１９】２．レンズの構成
（１）  各部位の名称
図１に、角膜およびレンズの構成を示す。
１が角膜表面、２がレンズの表面を示す。
３〜８は、それぞれレンズの裏面の部位を示す。
３はベースゾーンを示す。
４はリバースゾーンを示す。
５はインターミディエイトゾーンを示す。
６はセカンドリバースゾーンを示す。
７アラインメントゾーンを示す。
８はペリフェラルゾーンを示す。【００２０】（２）  サイズ
レンズ全体では、半径５ｍｍ〜５．５ｍｍ程度とする。
角膜の中でも、実際に光を通す部分で形状のむらを作ることは望ましくないため、ベースゾーンは、半径３ｍｍ以上が望ましい。リバースゾーン、セカンドリバースゾーンに関しては、なるべく狭くすることが望ましい。【００２１】３．レンズの効果
（１）  ベースゾーンの効果
ベースゾーンは、レンズ適用者の角膜の曲率半径と角膜の屈折率より焦点距離を算出し、その焦点距離に矯正の度合いを加算した焦点距離から、逆に強制後に想定する角膜の曲率半径を算出した数値にあわせ、曲率半径を決定する。
このベースゾーンに合わせて角膜の形状が変化することで、近視を矯正する効果がある。【００２２】（２）  リバースゾーンの効果
リバースゾーンでは、角膜とレンズの間に空間を作ることにより、ベースゾーンにて矯正された角膜の細胞組織が移行される。【００２３】（３）  インターミディエイトゾーン、セカンドリバースゾーンの効果
インターミディエイトゾーン、セカンドリバースゾーンによって、リバースゾーンと同様に、角膜とレンズの間の空間を作り出し、ベースゾーンにて矯正された角膜の細胞組織が移行される。【００２４】（４）  アラインメントゾーンの効果
アラインメントゾーンは、角膜と接触、もしくは高々数ミクロン程度の距離を置いて、角膜にほぼ接触に近い状態となることで、レンズのフィッティングに寄与する。【００２５】（５）  ペリフェラルゾーンの効果
角膜からレンズが離れエッジを形成することで、レンズの取り外しや、涙液のレンズへの流入を助ける効果を持つ。【００２６】４．従来型レンズとの角膜形状変化の相違
（１）  従来レンズ
従来レンズでの、角膜形状変化の様子を以下に示す。各図に関しては、単純化のため、ベースゾーン、リバースゾーン、ペリフェラルゾーンに相当する３部位のみを持つ図を示す。レンズにより部位数が増えても、状況は同様となる。
は、装用初期の状態を示す。レンズと角膜の間の空間に余裕があり、角膜矯正の効果が現れ始める。
は、装用中期の状態を示す。角膜組織の移動により、レンズと角膜の間の空間に余裕がなくなる。この時のフィッティングはタイトとなり、角膜矯正の効果は頭打ちとなる。
は、その後レンズを取り替えた状態を示す。このように矯正の効果が部分的に出る度にレンズのサイズを調整し直す必要がある。【００２７】（２）  本発明におけるレンズ
本発明におけるレンズでの、角膜形状変化の様子を以下に示す。
は、装用初期の状態を示す。レンズと角膜の間の空間に余裕があり、角膜矯正の効果が現れ始める。
は、装用中期の状態を示す。角膜組織の移動が起こるが、インターミディエイトゾーンとセカンドリバースゾーンが角膜との間に作り出す空間のため、まだ余裕がある。
は、装用後期の状態を示す。さらに角膜組織の移動が起こり、十分な矯正の効果が得られる。【００２８】（３）  グラフによる比較
図０および    に、レンズおよび角膜表面の距離を、角膜の中心からの径に対してプロットしたグラフを示す。前者は従来レンズを想定、後者は本発明におけるレンズを想定したものである。
共に典型例として、角膜の曲率半径７．８ｍｍ、矯正値３ジオプトリを想定したものである。
このグラフからも明らかなように、本発明におけるレンズでは、幅の狭いリバースゾーンと共に、レンズと角膜間の余裕をより大きく確保することを実現している。
【図面の簡単な説明】
【００２９】
【図１】本発明における、角膜およびレンズの全体構成を示す図である。
【図２】本発明におけるレンズを、側面および裏側から見た時の構成を示す図である。
【図３】特許文献１における、角膜およびレンズの全体構成を示す図である。
【図４】従来型レンズを装用した初期状態における、角膜およびレンズを示す図である。
【図５】従来型レンズを装用した中期状態における、角膜およびレンズを示す図である。
【図６】従来型レンズを装用した中期状態において、角膜およびサイズを再調整したレンズを示す図である。
【図７】本発明におけるレンズを装用した初期状態における、角膜およびレンズを示す図である。
【図８】本発明におけるレンズを装用した中期状態における、角膜およびレンズを示す図である。
【図９】本発明におけるレンズを装用した後期状態における、角膜およびレンズを示す図である。
【図１０】レンズを装用した場合に想定される、レンズおよび角膜表面の距離（涙液層の厚さであるため、Ｔｅａｒ  Ｌａｙｅｒ  Ｔｈｉｃｋｎｅｓｓと称し、ＴＬＴと略す）を、角膜の中心からの径に対してプロットしたグラフであり、Ｔｅａｒ  Ｌａｙｅｒ  Ｐｒｏｆｉｌｅと称す。従来レンズの場合の想定グラフである。
【図１１】レンズを装用した場合に想定される、レンズおよび角膜表面の距離（涙液層の厚さであるため、Ｔｅａｒ  Ｌａｙｅｒ  Ｔｈｉｃｋｎｅｓｓと称し、ＴＬＴと略す）を、角膜の中心からの径に対してプロットしたグラフであり、Ｔｅａｒ  Ｌａｙｅｒ  Ｐｒｏｆｉｌｅと称す。本発明におけるレンズの場合の想定グラフである。
【符号の説明】
【００３０】１．角膜表面を表す
２．レンズの表側の曲面を表す
３．ベースゾーンを表す
４．リバースゾーンを表す
５．インターミディエイトゾーンを表す
６．セカンドリバースゾーンを表す
７．アラインメントゾーンを表す
８．ペリフェラルゾーンを表す
９．レンズの表側の曲面を表す
１０．  レンズの表側と裏側の曲面に挟まれた内部を表す
１１．  センターゾーンを表す
１２．  ティアゾーンを表す
１３．  ペリフェラルゾーンを表す
【図１】
2008112121.tif 000003
【図２】
2008112121.tif 000004
【図３】
2008112121.tif 000005
【図４】
2008112121.tif 000006
【図５】
2008112121.tif 000007
【図６】
2008112121.tif 000008
【図７】
2008112121.tif 000009
【図８】
2008112121.tif 000010
【図９】
2008112121.tif 000011
【図１０】
2008112121.tif 000012
【図１１】
2008112121.tif 000013